(57)【要約】【課題】クーポン情報の配布状況を管理して、クーポン情報の配布者に特典を与え、店舗来店の機会を増加させること。【解決手段】移動体端末装置１Ａ，１Ｂが、自装置識別情報、クーポン識別情報及び利用履歴情報を含むクーポン情報を非接触通信により店舗側装置５に送信し、店舗側装置５において、移動体端末装置１Ａ，１Ｂ間でのクーポン情報の送受信実績と、店舗側装置５での利用実績とを区別したポイント数をクーポン情報に付与し、店舗側装置５が、ポイント数が付与されたクーポン情報を管理サーバ６に送信し、管理サーバ６において、ポイント数が付与されたクーポン情報の集計・更新を行い、管理サーバ６が、集計・更新後のクーポン情報を、店舗側装置５に送信し、店舗側装置５が、集計・更新後のクーポン情報を非接触通信で移動体端末装置１Ａ，１Ｂに送信する。【選択図】図１
2007293510.tif 000002
【特許請求の範囲】
【請求項１】
移動体端末装置、店舗側装置及び管理サーバとの間で、少なくとも自装置識別情報、クーポン識別情報及び利用履歴情報を含むクーポン情報を送受信するクーポン情報管理システムであって、
前記移動体端末装置は、前記店舗側装置との間で前記クーポン情報を非接触通信により送受信する非接触通信手段を有し、
前記店舗側装置は、前記移動体端末装置との間で前記クーポン情報を非接触通信により送受信するリーダ／ライタ手段、及び前記管理サーバとの間で前記クーポン情報を送受信する通信手段を有し、
前記管理サーバは、前記クーポン情報をユーザ毎に管理する管理手段、及び前記利用履歴情報に基づいて前記クーポン情報の集計・更新を行う集計機能手段を有することを特徴とするクーポン情報管理システム。
【請求項２】
前記店舗側装置は、移動体端末装置間でのクーポン情報の配布実績と、前記店舗側装置での利用実績とを区別したポイント数を、前記クーポン情報に付与する配布機能手段を含むことを特徴とする請求項１記載のクーポン情報管理システム。
【請求項３】
前記集計機能手段は、前記移動体端末装置間でのクーポン情報の送受信が行われた際に配布実績のポイント数を増加させ、店舗側で利用された際に利用実績のポイント数を増加させることを特徴とする請求項２記載のクーポン情報管理システム。
【請求項４】
移動体端末装置が、少なくとも自装置識別情報、クーポン識別情報及び利用履歴情報を含むクーポン情報を非接触通信により店舗側装置に送信する工程と、前記店舗側装置において、移動体端末装置間でのクーポン情報の送受信実績と、前記店舗側装置での利用実績とを区別したポイント数を前記クーポン情報に付与する工程と、前記店舗側装置が、前記ポイント数が付与されたクーポン情報を管理サーバに送信する工程と、前記管理サーバにおいて、前記ポイント数が付与されたクーポン情報の集計・更新を行う工程と、前記管理サーバが、集計・更新後のクーポン情報を、前記店舗側装置に送信する工程と、前記店舗側装置が、前記集計・更新後のクーポン情報を非接触通信により前記移動体端末装置に送信する工程と、を具備することを特徴とするクーポン情報管理方法。
【請求項５】
前記店舗側装置において、移動体端末装置間でのクーポン情報の配布実績と、前記店舗側装置での利用実績とを区別したポイント数を、前記クーポン情報に付与することを特徴とする請求項４記載のクーポン情報管理方法。
【請求項６】
前記移動体端末装置間でのクーポン情報の送受信が行われた際に配布実績のポイント数を増加させ、店舗側で利用された際に利用実績のポイント数を増加させることを特徴とする請求項５記載のクーポン情報管理方法。
【請求項７】
移動体端末装置が、少なくとも自装置識別情報、クーポン識別情報及び利用履歴情報を含むクーポン情報を非接触通信により店舗側装置に送信する工程と、更新した利用履歴情報を含むクーポン情報を非接触通信により前記移動体端末装置に送信する工程と、前記更新した利用履歴情報を含むクーポン情報を管理サーバに送信する工程と、前記管理サーバにおいて、前記更新した利用履歴情報を含むクーポン情報の集計・更新を行う工程と、前記管理サーバが、集計・更新後のクーポン情報を、前記店舗側装置に送信する工程と、を具備することを特徴とするクーポン情報管理方法。
【発明の詳細な説明】
【技術分野】
【０００１】
本発明はクーポン情報管理システム及びクーポン情報管理方法に関し、特に、非接触機能を搭載した移動体端末装置を利用するクーポン情報管理システム及びクーポン情報管理方法に関する。
【背景技術】
【０００２】
従来より、消費者が、店舗にて商品の購入や一定のサービスを受ける場合、代金の支払い時に、あらかじめ入手していたクーポン券を呈示もしくは引き渡して、所定の割引などを受けるクーポン券割引サービスが行われている。近年では、紙媒体のクーポン券と同様の効果を持つものとして、電子クーポン、すなわち、コンピュータで読み取り可能な記録媒体にクーポン情報が記録されたクーポンも利用されている。
【０００３】
例えば、特許文献１には、電子クーポンを用いたサービスが開示されている。このサービスにおいては、店舗からサービスセンターに対して電子クーポンの発行が要求された場合に、サービスセンターにおいて、店舗に関する情報を用いて電子クーポンを作成し、移動端末に配布し、移動端末において、配布された電子クーポンを店舗に対して提示し、商品を購入する。この場合、電子クーポンの使用における使用時間や商品などの使用情報は、電子クーポン使用情報として店舗からサービスセンターに送信され、サービスセンターにおいて、電子クーポン使用情報に基づいて店舗に対して電子クーポンの使用料金を課金する。
【特許文献１】特開２００１−２２９２５８号公報
【発明の開示】
【発明が解決しようとする課題】
【０００４】
移動体端末装置の高機能化に伴い、移動体端末装置を利用して様々なデータを移動体端末間で送受信する場面が増加している。例えば、電子メールによる送受信や、赤外線通信、Bluetooth、非接触ＩＣカードなどを含む非接触通信による送受信により、移動体端末装置間で簡単にデータの送受信が行われるようになってきている。
【０００５】
このように移動体端末装置間での送受信が行われる場面が増加すると、電子クーポンを用いたサービスにおいても、クーポン情報なども送受信することが考えられる。このような場合において、クーポン情報を配布した者にも特典が与えられるとすると、クーポン情報の配布にインセンティブが生じて、店舗情報がより広い範囲に広まることになる。また、このようにクーポン情報が配布されて店舗情報が広まると、より多くの消費者がその店舗を訪れる機会が増加して、店舗側にもメリットがある。しかしながら、従来のシステムにおいては、クーポン情報の配布状況を管理して、クーポン情報の配布者に特典を与え、店舗来店の機会を増加させる仕組みが構築されていない。
【０００６】
本発明はかかる点に鑑みてなされたものであり、クーポン情報の配布状況を管理して、クーポン情報の配布者に特典を与え、店舗来店の機会を増加させるクーポン情報管理システム及びクーポン情報管理方法を提供することを目的とする。
【課題を解決するための手段】
【０００７】
本発明のクーポン情報管理システムは、移動体端末装置、店舗側装置及び管理サーバとの間で、少なくとも自装置識別情報、クーポン識別情報及び利用履歴情報を含むクーポン情報を送受信するクーポン情報管理システムであって、前記移動体端末装置は、前記店舗側装置との間で前記クーポン情報を非接触通信により送受信する非接触通信手段を有し、前記店舗側装置は、前記移動体端末装置との間で前記クーポン情報を非接触通信により送受信するリーダ／ライタ手段、及び前記管理サーバとの間で前記クーポン情報を送受信する通信手段を有し、前記管理サーバは、前記クーポン情報をユーザ毎に管理する管理手段、及び前記利用履歴情報に基づいて前記クーポン情報の集計・更新を行う集計機能手段を有することを特徴とする。
【０００８】
この構成によれば、クーポン情報を配布した者にも特典が与えられ、クーポン情報の配布にインセンティブが生じて、店舗情報がより広い範囲に広まる。このようにクーポン情報が配布されて店舗情報が広まると、より多くの消費者がその店舗を訪れる機会が増加する。
【０００９】
本発明のクーポン情報管理システムにおいては、前記店舗側装置は、移動体端末装置間でのクーポン情報の配布実績と、前記店舗側装置での利用実績とを区別したポイント数を、前記クーポン情報に付与する配布機能手段を含むことが好ましい。この場合において、前記集計機能手段は、前記移動体端末装置間でのクーポン情報の送受信が行われた際に配布実績のポイント数を増加させ、店舗側で利用された際に利用実績のポイント数を増加させることが好ましい。
【００１０】
本発明のクーポン情報管理方法は、移動体端末装置が、少なくとも自装置識別情報、クーポン識別情報及び利用履歴情報を含むクーポン情報を非接触通信により店舗側装置に送信する工程と、前記店舗側装置において、移動体端末装置間でのクーポン情報の送受信実績と、前記店舗側装置での利用実績とを区別したポイント数を前記クーポン情報に付与する工程と、前記店舗側装置が、前記ポイント数が付与されたクーポン情報を管理サーバに送信する工程と、前記管理サーバにおいて、前記ポイント数が付与されたクーポン情報の集計・更新を行う工程と、前記管理サーバが、集計・更新後のクーポン情報を、前記店舗側装置に送信する工程と、前記店舗側装置が、前記集計・更新後のクーポン情報を非接触通信により前記移動体端末装置に送信する工程と、を具備することを特徴とする。
【００１１】
本発明のクーポン情報管理方法においては、前記店舗側装置において、移動体端末装置間でのクーポン情報の配布実績と、前記店舗側装置での利用実績とを区別したポイント数を、前記クーポン情報に付与することが好ましい。この場合において、前記移動体端末装置間でのクーポン情報の送受信が行われた際に配布実績のポイント数を増加させ、店舗側で利用された際に利用実績のポイント数を増加させることが好ましい。
【００１２】
本発明のクーポン情報管理方法は、移動体端末装置が、少なくとも自装置識別情報、クーポン識別情報及び利用履歴情報を含むクーポン情報を非接触通信により店舗側装置に送信する工程と、更新した利用履歴情報を含むクーポン情報を非接触通信により前記移動体端末装置に送信する工程と、前記更新した利用履歴情報を含むクーポン情報を管理サーバに送信する工程と、前記管理サーバにおいて、前記更新した利用履歴情報を含むクーポン情報の集計・更新を行う工程と、前記管理サーバが、集計・更新後のクーポン情報を、前記店舗側装置に送信する工程と、を具備することを特徴とする。
【００１３】
これらの方法によれば、クーポン情報を配布した者にも特典が与えられ、クーポン情報の配布にインセンティブが生じて、店舗情報がより広い範囲に広まる。このようにクーポン情報が配布されて店舗情報が広まると、より多くの消費者がその店舗を訪れる機会が増加する。
【発明の効果】
【００１４】
本発明によれば、移動体端末装置が、少なくとも自装置識別情報、クーポン識別情報及び利用履歴情報を含むクーポン情報を非接触通信により店舗側装置に送信し、前記店舗側装置において、移動体端末装置間でのクーポン情報の送受信実績と、前記店舗側装置での利用実績とを区別したポイント数を前記クーポン情報に付与し、前記店舗側装置が、前記ポイント数が付与されたクーポン情報を管理サーバに送信し、前記管理サーバにおいて、前記ポイント数が付与されたクーポン情報の集計・更新を行い、前記管理サーバが、集計・更新後のクーポン情報を、前記店舗側装置に送信し、前記店舗側装置が、前記集計・更新後のクーポン情報を非接触通信により前記移動体端末装置に送信するので、クーポン情報の配布状況を管理して、クーポン情報の配布者に特典を与え、店舗来店の機会を増加させることができる。
【発明を実施するための最良の形態】
【００１５】
以下、本発明の実施の形態について、添付図面を参照して詳細に説明する。
（実施の形態１）
本実施の形態においては、移動体端末装置、店舗側装置及び管理サーバとの間で、少なくとも自装置識別情報、クーポン識別情報及び利用履歴情報を含むクーポン情報を送受信するシステムにおいて、店舗側装置において、移動体端末装置間でのクーポン情報の送受信実績と、店舗側装置での利用実績とを区別したポイント数をクーポン情報に付与する場合について説明する。
【００１６】
図１は、本発明の実施の形態に係るクーポン情報管理システムの概略構成を示す図である。図１に示すシステムは、移動体端末１Ａ，１Ｂと、この移動体端末１Ａ，１Ｂと移動通信網２を介して接続された移動通信センター３と、移動通信センター３とインターネット４のようなネットワークを介して接続された店舗側装置５及び管理サーバ６とから主に構成されている。
【００１７】
移動体端末１Ａ，１Ｂは、非接触カード機能を実行できる機能を備えており、店舗側装置５の外部リーダライタ（Ｒ／Ｗ）との間で非接触カード通信により情報の送受信を行うことができる。また、移動体端末１Ａ，１Ｂは、オペレーティングシステム（移動機ＯＳ）を有しており、移動機ＯＳ上でブラウザ機能、ビューワ機能、ＪＡＭ（Java Application Manager）その他の機能が動作する。
【００１８】
移動通信網２は、移動体端末１Ａ，１Ｂと移動通信センター３との間のネットワークである。この移動通信網２には、通常の移動通信網に加えて移動パケット通信網も含まれる。移動通信網センターは、例えばｉモード（登録商標）サーバなどを有すると共に、移動通信網２とインターネット４とを結ぶゲートウェイ機能を担っており、具体的には、情報配信機能、メール送受信機能、メール蓄積機能、契約顧客管理機能、情報提供者（Information Provider）管理機能、及び情報料課金機能を有する。ネットワークには、インターネット４をはじめその他のネットワーク、例えばＬＡＮやＷＡＮなども含まれる。
【００１９】
このような構成を有するクーポン情報管理システムにおいては、移動体端末装置が、少なくとも自装置識別情報、クーポン識別情報及び利用履歴情報を含むクーポン情報を非接触通信により店舗側装置に送信し、前記店舗側装置において、移動体端末装置間でのクーポン情報の送受信実績と、前記店舗側装置での利用実績とを区別したポイント数を前記クーポン情報に付与し、前記店舗側装置が、前記ポイント数が付与されたクーポン情報を管理サーバに送信し、前記管理サーバにおいて、前記ポイント数が付与されたクーポン情報の集計・更新を行い、前記管理サーバが、集計・更新後のクーポン情報を、前記店舗側装置に送信し、前記店舗側装置が、前記集計・更新後のクーポン情報を非接触通信により前記移動体端末装置に送信する。
【００２０】
図２は、図１に示すクーポン情報管理システムにおける移動体端末の概略構成を示すブロック図である。なお、図２に示す構成は、本発明を説明するために簡略化したものであり、通常の移動体端末に搭載される構成要素は備えているものとする。なお、ここで、クーポン情報とは、店舗において利用可能であるポイントなどの特典の情報をいい、必要に応じて店舗を紹介する情報などの店舗情報を含んでいても良い。また、本実施の形態においては、クーポン情報が非接触カード機能用コンテンツであるトルカ（登録商標）データ（コンテンツ簡易（スニップ）データ及びコンテンツ本体データを含む）である場合について説明する。
【００２１】
移動体端末１Ａ，１Ｂは、装置全体を制御する制御部１１と、アンテナ１３を介して無線通信の制御を行う通信制御部１２と、種々の情報やデータを入力する入力部１４と、種々の情報やデータを表示する表示部１５と、クーポン情報を含むトルカデータ（簡易データ、本体データ）を管理するトルカマネージャ１６と、外部Ｒ／Ｗとの間で非接触カード通信を行う非接触カード部１７と、トルカスニップデータを格納する格納部１８とから主に構成されている。非接触カード部１７は、簡易データであるトルカスニップデータやその他の情報をバッファリングするバッファ、及び非接触カード機能を実現させるためのコントローラを含む非接触ＩＣ１７１と、外部Ｒ／Ｗとの間で非接触カード通信を行うＲ／Ｗ１７２とを含む。
【００２２】
通信制御部１２は、他の移動体端末や別の通信機器との間の無線通信の制御などを行う。例えば、通信制御部１２は、アンテナ１３からの無線信号を受信すると共に、他の移動体端末や別の通信機器に送信する信号をアンテナ１３を介して送信する。また、通信制御部１２は、ブラウザ機能やメーラ機能を備えている。したがって、通信制御部１２は、トルカスニップデータに含まれるＵＲＬからＷｅｂにリンクして店舗側装置５に接続する。また、通信制御部１２は、トルカ本体データに含まれる電話番号から発信する機能、トルカ本体データに含まれるメールアドレスからメール送信する機能を備えている。さらに、Ｊａｖａ（登録商標）アプリケーションやブラウザは、通信に必要なコマンド、例えばＡＰＩ（Application Program Interface）を用いて通信制御部１２を介して通信を行い、アプリケーション内部にコンテンツデータそのものが包含されている場合は、そのコンテンツデータを読み取って他のアプリケーションに引き継いだり、ＵＲＬが記載されている場合はそのＵＲＬに基づいて所定のサイトにアクセスしてトルカデータを取得することも可能である。なお、通信制御部１２は、光通信、赤外線通信、Bluetooth通信などにも対応できる構成を備えていても良い。
【００２３】
表示部１５は、ビューワ機能を備えており、取得したトルカデータを表示する。また、表示部１５は、トルカデータを所定の表示形式にフォーマットして表示させる。トルカスニップデータは、例えば、場所やタイトルなどの情報や、タイトルに関する簡単な説明が表記される。この簡単な説明には、トルカ本体データを取得するためにアクセスするＵＲＬなどが含まれる。また、トルカ本体データは、例えば、場所やタイトルなどの情報や、タイトルに関する詳細な説明が表記される。この詳細な説明には、関連リンクＵＲＬ、電話番号、メールアドレスなどが含まれる。
【００２４】
格納部１８は、トルカデータを格納する。格納部１８は、例えばフォルダ管理によりトルカデータを抽出し易い形で格納している。ここで、クーポン情報を含むトルカデータは、図５に示すようなデータ構成を有する。このトルカデータには、少なくとも端末識別子（自装置識別情報）、クーポン識別子（クーポン識別情報）及びリファラー（利用履歴情報）が含まれる。端末識別子としては、移動体端末の機体番号、電話番号、及び移動体端末内部の非接触カード番号など移動体端末を一意に特定するユニークな情報を用いることができる。また、クーポン識別子には、後述するポイント数などが含まれる。リファラーは、クーポン情報が誰から配信されたものであるかなどの利用履歴を示す識別情報である。なお、図５に示すクーポン情報は一例であり、その内容は種々変更することが可能である。
【００２５】
トルカマネージャ１６は、非接触カード部１７が非接触通信を行う際において、外部Ｒ／Ｗが特定のトルカデータを有するかどうかを要求してきたときに、特定のトルカデータの有無を確認し、その確認情報を外部Ｒ／Ｗに通信する制御を行う。トルカマネージャ１６は、外部Ｒ／Ｗから非接触通信によりトルカデータを取得したときには、トルカデータを格納部１８に格納する。
【００２６】
非接触カード部１７は、非接触カード機能により、例えばトルカデータの追加などを行う。非接触カード機能としては、例えばフェリカ（FeliCa：登録商標）などを挙げることができる。非接触カード部１７のＲ／Ｗ１７２は、移動体端末１Ａ，１Ｂを外部Ｒ／Ｗにかざしたときに、外部Ｒ／Ｗからトルカデータ、コマンド情報を取得して所定の処理部に受け渡す。制御部１１は、ヘッダ識別機能を有しており、外部Ｒ／Ｗから取得したデータに付与されたヘッダを識別して所定の処理部に送る。例えば、外部Ｒ／Ｗから取得したデータがトルカデータであれば、トルカマネージャ１６に送り、外部Ｒ／Ｗから取得したデータがアプリケーション起動情報であれば、ＪＡＭ（Java（登録商標）Application  Manager、図示せず）に送る。
【００２７】
ここで、非接触カードを用いた非接触通信とは、赤外線通信や二次元バーコードを利用したデータの送受信などの近距離通信を含む通信方法を意味する。また、非接触カードとは、外部機器との間でデータ送受信を簡易に行うことのできる移動体端末に付随するモジュールである。
【００２８】
図３は、図１に示すクーポン情報管理システムにおける店舗側装置の概略構成を示すブロック図である。店舗側装置５は、装置全体を制御する制御部５１と、移動体端末１Ａ，１Ｂ及び管理サーバ６と通信を行う通信制御部５２と、移動体端末１Ａ，１Ｂとの間で非接触通信を行うＲ／Ｗ５３と、移動体端末１Ａ，１Ｂ間でのクーポン情報の配布実績と、店舗側装置での利用実績とを区別したポイント数を、クーポン情報に付与する配布機能部５４とから主に構成されている。
【００２９】
配布機能部５４は、実際にその店舗を利用した利用者と、トルカ配信によりクーポン情報を取得した仮登録者とを区別したポイント数をクーポン情報に付与する。例えば、これらのポイント数は、図７に示すカウンタ１（左欄）の値及びカウンタ２（右欄）の値である。本実施の形態においては、カウンタ１の値が店舗側装置５での利用実績に対するポイント（利用実績ポイント）数であり、カウンタ２の値が移動体端末間でのクーポン情報の送受信実績に対するポイント（配布ポイント）数である。
【００３０】
ここで、配布ポイントと利用実績ポイントとを分離して管理すると、次のようなメリットがある。例えば(i)配布ポイント１０ポイントを利用実績ポイント１ポイントに等しいものとしてポイントの変換を行うことができる。(ii)利用実績ポイントは現金と同様に、次回店舗来店時の利用代金に充当することができ、配布ポイントは粗品・サービスなどの便益を得る際に利用できる。このように、配布ポイントと利用実績ポイントとを分離して管理することにより、その店舗とユーザとの関係において、ポイントの性格毎に適宜変更して定義することができるので、ポイント管理を柔軟に行うことが可能となる。
【００３１】
また、配布機能部５４は、リファラーが付与されていない場合（利用履歴情報がない場合）にリファラーを付与する。配布機能部５４は、リファラーが付与されていない場合には、店舗を利用したユーザが配布元になるので、その端末のユーザをリファラーに用いる。
【００３２】
図４は、図１に示すクーポン情報管理システムにおける管理サーバの概略構成を示すブロック図である。管理サーバ６は、装置全体を制御する制御部６１と、移動体端末１Ａ，１Ｂ及び店舗側装置５と通信を行う通信制御部６２と、クーポン情報をユーザ毎に管理する管理部６３と、利用履歴情報であるリファラーに基づいてクーポン情報の集計・更新を行う集計機能部６４とから主に構成されている。
【００３３】
管理部６３は、図７に示すようなデータベースを有する。図７に示すデータベースは、ユーザ（ｉｄ）と、仮登録か否か（ｔｅｍｐ．）と、ポイント数を示すカウンタ（ｃｏｕｎｔ）と、リファラー（ｒｅｆ．）と、利用・仮登録日（ｄａｔｅ）とを関連づけたものである。なお、これらの項目は一例であり、適宜変更することができる。このデータベースは、図７に示すように、ユーザの利用又は仮登録により順次更新される。この更新の詳細については後述する。
【００３４】
集計機能部６４は、利用履歴情報であるリファラーに基づいてクーポン情報の集計・更新を行う。この集計機能部６４においては、移動体端末１Ａ，１Ｂ間でのクーポン情報の配布実績と、店舗側装置での利用実績とを区別したポイント数をユーザに振り分けて加算する処理を行う。
【００３５】
ここで、集計機能部６４におけるポイントの振り分け・加算の方法について説明する。なお、この方法は一例であり、本発明の思想を逸脱しない範囲内で適宜変更して実施することができる。図６は、本発明のクーポン情報管理システムを説明するための図であり、図７は、本発明のクーポン情報管理システムにおける管理サーバのデータベースを示す図である。
【００３６】
まず、ユーザＡが店舗を利用すると、図７の（ｉ）状態のように、ユーザＡの利用実績のカウンタ１が１００となる。また、ユーザＡはまだクーポン情報を配布していないので配布実績のカウンタ２が０となる。このとき、ユーザＡが実際に利用したので、ユーザＡの行において、「ｉｄ」の項目はＡであり、「ｔｅｍｐ．」の項目はＮである。また、ユーザＡは配布元であるのでリファラーには何も入らない。
【００３７】
次いで、ユーザＡがクーポン情報をユーザＢに送信すると、例えば、ユーザＡの移動体端末からユーザＢの移動体端末に電子メールや非接触通信などによりクーポン情報が送られると、ユーザＢが仮登録者となる。このとき、ユーザＡはユーザＢにクーポン情報を配布したので、ユーザＡに特典（配布実績）が与えられる。ここでは、２ポイントがユーザＡのカウンタ２に加算されるとする。この場合、図７の（ii）状態のように、ユーザＡの行において、利用実績のカウンタ１は１００であり、配布実績のカウンタ２が２となる。すなわち、図６に示すように、ポイント２がユーザＡにポイントバックされる。このとき、ユーザＢは、まだ店舗を利用しておらず、しかも移動体端末間での配布がなされていない（配布元である）ので、ユーザＢの行において、利用実績のカウンタ１に値がなく、配布実績のカウンタ２が０となる。このとき、ユーザＢが仮登録したので、ユーザＢの行において、「ｉｄ」の項目はＢであり、「ｔｅｍｐ．」の項目はＹである。また、ユーザＢにおいては、配布元がユーザＡであるので、リファラーが「−Ａ」となる。
【００３８】
次いで、ユーザＢが店舗を利用すると、ユーザＡのクーポン情報の配布によりユーザＢが店舗に訪れたので、ユーザＡに特典（利用実績）が与えられる。ここでは、５ポイントがユーザＡのカウンタ１に加算されるとする。この場合、図７の（iii）状態のように、ユーザＡの行において、利用実績のカウンタ１が１０５となり、配布実績のカウンタ２が２となる。すなわち、図６に示すように、ポイント５がユーザＡにポイントバックされる。このとき、ユーザＢの行において、利用実績のカウンタ１が１００となる。また、ユーザＢはまだクーポン情報を配布していないので配布実績のカウンタ２が０となる。また、ユーザＢが実際に利用したので、ユーザＢの行において、「ｉｄ」の項目はＢであり、「ｔｅｍｐ．」の項目はＮである。
【００３９】
次いで、ユーザＢがクーポン情報をユーザＣに送信すると、ユーザＣが仮登録者となる。このとき、ユーザＢはユーザＣにクーポン情報を配信したので、ユーザＢに特典（配布実績）が与えられる。また、ユーザＡは、ユーザＢを介してユーザＣにクーポン情報を配布したので、ユーザＡにも特典（配布実績）が与えられる。ここでは、２ポイントがユーザＢのカウンタ２に加算され、そのうちの１ポイントがユーザＡのカウンタ２に加算されるとする。この場合、図７の（iv）状態のように、ユーザＡの行において、利用実績のカウンタ１は１０５であり、配布実績のカウンタ２が３となる。すなわち、図６に示すように、ポイント１がユーザＡにポイントバックされる。このとき、ユーザＢの行において、利用実績のカウンタ１は１００であり、配布実績のカウンタ２が１となる。すなわち、図６に示すように、ポイント２がユーザＢにポイントバックされる。ユーザＣは、まだ店舗を利用しておらず、しかも移動体端末間での配布がなされていない（配布元である）ので、ユーザＣの行において、利用実績のカウンタ１に値がなく、配布実績のカウンタ２が０となる。このとき、ユーザＣが仮登録したので、ユーザＣの行において、「ｉｄ」の項目はＣであり、「ｔｅｍｐ．」の項目はＹである。また、ユーザＣにおいては、配布元がユーザＡ→ユーザＢであるので、リファラーが「ＡＢ」となる。
【００４０】
次いで、ユーザＣが店舗を利用すると、ユーザＢのクーポン情報の配布によりユーザＣが店舗に訪れたので、ユーザＢに特典（利用実績）が与えられる。また、ユーザＡは、ユーザＢを介してユーザＣが店舗に訪れたので、ユーザＡにも特典（利用実績）が与えられる。ここでは、５ポイントがユーザＣのカウンタ１に加算され、そのうちの２ポイントがユーザＢのカウンタ１に加算されるとする。この場合、図７の（ｖ）状態のように、ユーザＡの行において、利用実績のカウンタ１が１０７となり、配布実績のカウンタ２が３となる。すなわち、図６に示すように、ポイント２がユーザＡにポイントバックされる。このとき、ユーザＢの行において、利用実績のカウンタ１が１０３となり、配布実績のカウンタ２は１である。また、ユーザＣが実際に利用したので、ユーザＣの行において、「ｉｄ」の項目はＣであり、「ｔｅｍｐ．」の項目はＮである。
【００４１】
次いで、ユーザＣがクーポン情報をユーザＤに送信すると、ユーザＤが仮登録者となる。このとき、ユーザＣはユーザＤにクーポン情報を配信したので、ユーザＣに特典（配布実績）が与えられる。また、ユーザＢは、ユーザＣを介してユーザＤにクーポン情報を配布したので、ユーザＢにも特典（配布実績）が与えられる。ここでは、２ポイントがユーザＣのカウンタ２に加算され、そのうちの１ポイントがユーザＢのカウンタ２に加算されるとする。この場合、図７の（vi）状態のように、ユーザＢの行において、利用実績のカウンタ１は１０３であり、配布実績のカウンタ２が２となる。すなわち、図６に示すように、ポイント１がユーザＢにポイントバックされる。このとき、ユーザＣの行において、利用実績のカウンタ１は１００であり、配布実績のカウンタ２が１となる。すなわち、図６に示すように、ポイント２がユーザＣにポイントバックされる。ユーザＤは、まだ店舗を利用しておらず、しかも移動体端末間での配布がなされていない（配布元である）ので、ユーザＤの行において、利用実績のカウンタ１に値がなく、配布実績のカウンタ２が０となる。このとき、ユーザＤが仮登録したので、ユーザＤの行において、「ｉｄ」の項目はＤであり、「ｔｅｍｐ．」の項目はＹである。また、ユーザＤにおいては、配布元がユーザＢ→ユーザＣであるので、リファラーが「ＢＣ」となる。
【００４２】
その後、ユーザＤが店舗に訪れて利用し（図６の(vii)状態）、次いで、ユーザＤがユーザＥにクーポン情報を送信する（図７の（viii）状態）。この場合においても、上記と同様にして利用・仮登録が行われ、集計機能部５４のデータベースが更新される。
【００４３】
次に、本発明の実施の形態に係るクーポン情報管理方法について図８を用いて説明する。また、図９は、図８に示すクーポン情報管理方法おける移動体端末の表示画面を示す図である。ここでは、移動体端末１Ａのユーザが店舗を実際に利用し、次いで、移動体端末１Ａから移動体端末１Ｂにクーポン情報を配布し、その後、移動体端末１Ｂのユーザが店舗を実際に利用する場合について説明する。
【００４４】
まず、移動体端末１Ａのユーザが店舗を利用する。すなわち、移動体端末１Ａの非接触カード部１７と店舗側装置５のＲ／Ｗ５３との間で非接触通信を行って支払いを実行する（ＳＴ１１）。この支払いを実行すると、移動体端末１Ａの端末識別子（Ａ）、クーポン識別子（ｘｙｚ）及びリファラーを含むクーポン情報（Ａ，ｘｙｚ，−−）が店舗側装置５に送られる。店舗側装置５においては、配布機能部５４で、移動体端末間でのクーポン情報の送受信実績と、店舗側装置５での利用実績とを区別したポイント数を付与して、ポイント数を付与したクーポン情報（Ａ，ｘｙｚ，…（カウンタ１），…（カウンタ２），−Ａ）を管理サーバ６にインターネット４を介して送信する（ＳＴ１２）。このとき、配布機能部５４は、移動体端末１Ａからのクーポン情報のリファラーに利用履歴が含まれていないので、移動体端末１Ａの識別情報（ここではＡ）をリファラーに付与する。
【００４５】
管理サーバ６においては、集計機能部６４で、利用履歴情報に基づいて前記クーポン情報の登録（集計・更新）を行う(ＳＴ１３)。すなわち、集計機能部６４においては、上述したように、図７の（ｉ）状態のようにカウンタ１にポイントを加算してデータベースを更新する。管理サーバ６は、集計・更新後のクーポン情報（Ａ，ｘｙｚ，１００，…，−Ａ）を店舗側装置５にインターネット４を介して送信する。そして、店舗側装置５は、カウンタの値を削除して、集計・更新後のクーポン情報（Ａ，ｘｙｚ，−Ａ）を移動体端末１Ａに非接触通信で送信する（ＳＴ１４）。移動体端末１Ａでは、このクーポン情報は、トルカデータとして格納部１８に格納される。そして、移動体端末１Ａでは、図９（ａ）に示すような画面が表示される（ＳＴ１５）。表示された画面には、特典であるポイント数が表示されると共に、店舗側装置５のＵＲＬなどがあわせて表示される。
【００４６】
次いで、移動体端末１Ａのユーザが電子メールにクーポン情報を添付して移動体端末１Ｂにメール送信する（ＳＴ１６）。このとき、移動体端末１Ａの画面は、例えば図９（ｂ）に示すようになる。これにより、移動体端末１Ｂには、店舗側装置５のＵＲＬを含むクーポン情報が送られる。そして、移動体端末１Ｂのユーザが、クーポン情報に含まれるＵＲＬにアクセスすると（ＳＴ１７）、店舗側装置５においては、配布機能部５４で、移動体端末間でのクーポン情報の送受信実績と、店舗側装置５での利用実績とを区別したポイント数を付与して、ポイント数を付与したクーポン情報（Ｂ，ｘｙｚ，…，…，−Ａ）を管理サーバ６にインターネット４を介して送信する（ＳＴ１８）。
【００４７】
管理サーバ６においては、集計機能部６４で、利用履歴情報に基づいて前記クーポン情報の仮登録（集計・更新）を行う(ＳＴ１９)。すなわち、集計機能部６４においては、上述したように、図７の（ii）状態のようにユーザＡの行のカウンタ２を更新し、ユーザＢの行のカウンタ２を更新する。管理サーバ６は、集計・更新後のクーポン情報（Ｂ，ｘｙｚ，…，０００，−Ａ）を店舗側装置５にインターネット４を介して送信する。そして、店舗側装置５は、カウンタの値を削除して、集計・更新後のクーポン情報（Ｂ，ｘｙｚ，−Ａ）を移動体端末１Ｂに送信する（ＳＴ２０）。移動体端末１Ｂでは、このクーポン情報は、トルカデータとして格納部１８に格納される。そして、移動体端末１Ｂでは、図９（ｃ）に示すような画面が表示される。表示された画面には、特典であるポイント数が表示されると共に、店舗側装置５のＵＲＬなどがあわせて表示される。また、ユーザＢは、詳細情報取得ボタンをクリックすることにより、より詳細なデータ（トルカ本体データ）を取得すること（実体化）もできる。これにより、より詳細な店舗情報を得ることができる。この場合、ユーザＢが移動体端末１Ｂから店舗側装置５にアクセスし、トルカ本体データを移動通信網２及びインターネット４を介してダウンロードして取得する。これにより、移動体端末１Ｂには、例えば図９（ｄ）に示すような画面が表示される。
【００４８】
次いで、移動体端末１Ｂのユーザが店舗を利用する。すなわち、移動体端末１Ｂの非接触カード部１７と店舗側装置５のＲ／Ｗ５３との間で非接触通信を行って支払いを実行する（ＳＴ２１）。この支払いを実行すると、移動体端末１Ｂの端末識別子（Ｂ）、クーポン識別子（ｘｙｚ）及びリファラーを含むクーポン情報（Ｂ，ｘｙｚ，−Ａ）が店舗側装置５に送られる。店舗側装置５においては、配布機能部５４で、移動体端末間でのクーポン情報の送受信実績と、店舗側装置５での利用実績とを区別したポイント数を付与して、ポイント数を付与したクーポン情報（Ｂ，ｘｙｚ，…，…，−Ａ）を管理サーバ６にインターネット４を介して送信する（ＳＴ２２）。
【００４９】
管理サーバ６においては、集計機能部６４で、利用履歴情報に基づいて前記クーポン情報の登録（集計・更新）を行う(ＳＴ２３)。すなわち、集計機能部６４においては、上述したように、図７の（iii）状態のようにユーザＡ及びユーザＢのカウンタ１にポイントを加算してデータベースを更新する。管理サーバ６は、集計・更新後のクーポン情報（Ｂ，ｘｙｚ，１００，０００，−Ａ）を店舗側装置５にインターネット４を介して送信する。そして、店舗側装置５は、カウンタの値を削除して、集計・更新後のクーポン情報（Ｂ，ｘｙｚ，−Ａ）を移動体端末１Ａに非接触通信で送信する（ＳＴ２４）。移動体端末１Ｂでは、このクーポン情報は、トルカデータとして格納部１８に格納される。そして、移動体端末１Ｂでは、図９（ａ）に示すような画面が表示される（ＳＴ２５）。
【００５０】
このように本実施の形態に係るクーポン情報管理システムによれば、クーポン情報を配布した者にも特典が与えられ、クーポン情報の配布にインセンティブが生じて、店舗情報がより広い範囲に広まる。このようにクーポン情報が配布されて店舗情報が広まると、より多くの消費者がその店舗を訪れる機会が増加する。
【００５１】
（実施の形態２）
店舗側装置において、移動体端末装置間でのクーポン情報の送受信実績と、店舗側装置での利用実績とを区別したポイント数をクーポン情報に付与しない場合について説明する。
【００５２】
図１０は、本発明の実施の形態２に係るクーポン情報管理方法を説明するための図である。ここでも、移動体端末１Ａのユーザが店舗を実際に利用し、次いで、移動体端末１Ａから移動体端末１Ｂにクーポン情報を配布し、その後、移動体端末１Ｂのユーザが店舗を実際に利用する場合について説明する。
【００５３】
まず、移動体端末１Ａのユーザが店舗を利用する。すなわち、移動体端末１Ａの非接触カード部１７と店舗側装置５のＲ／Ｗ５３との間で非接触通信を行って支払いを実行する（ＳＴ３１）。この支払いを実行すると、クーポン情報（Ａ，ｘｙｚ，−Ａ）を移動体端末１Ａに非接触通信で送信する（ＳＴ３２）。このとき、配布機能部５４は、移動体端末１Ａからのクーポン情報のリファラーに利用履歴が含まれていないので、移動体端末１Ａの識別情報（ここではＡ）をリファラーに付与する。
【００５４】
移動体端末１Ａでは、このクーポン情報は、トルカデータとして格納部１８に格納される。そして、移動体端末１Ａでは、図９（ａ）に示すような画面が表示される（ＳＴ３３）。表示された画面には、特典であるポイント数が表示されると共に、店舗側装置５のＵＲＬなどがあわせて表示される。
【００５５】
店舗側装置５は、移動体端末１Ａに送信したクーポン情報（Ａ，ｘｙｚ，−Ａ）を管理サーバ６にインターネット４を介して送信する（ＳＴ３４）。管理サーバ６においては、集計機能部６４で、利用履歴情報に基づいて前記クーポン情報の登録（集計・更新）を行う(ＳＴ３５)。すなわち、集計機能部６４においては、上述したように、図７の（ｉ）状態のようにカウンタ１にポイントを加算してデータベースを更新する。管理サーバ６は、集計・更新後のクーポン情報（Ａ，ｘｙｚ，−Ａ）を店舗側装置５にインターネット４を介して送信する。
【００５６】
次いで、移動体端末１Ａのユーザが電子メールにクーポン情報を添付して移動体端末１Ｂにメール送信する（ＳＴ３６）。このとき、移動体端末１Ａの画面は、例えば図９（ｂ）に示すようになる。これにより、移動体端末１Ｂには、店舗側装置５のＵＲＬを含むクーポン情報が送られる。そして、移動体端末１Ｂのユーザが、クーポン情報に含まれるＵＲＬにアクセスすると（ＳＴ３７）、店舗側装置５においては、配布機能部５４で、移動体端末間でのクーポン情報の送受信実績と、店舗側装置５での利用実績とを区別したポイント数を付与して、ポイント数を付与したクーポン情報（Ｂ，ｘｙｚ，−Ａ）を管理サーバ６にインターネット４を介して送信する（ＳＴ３８）。
【００５７】
管理サーバ６においては、集計機能部６４で、利用履歴情報に基づいて前記クーポン情報の仮登録（集計・更新）を行う(ＳＴ３９)。すなわち、集計機能部６４においては、上述したように、図７の（ii）状態のようにユーザＡの行のカウンタ２を更新し、ユーザＢの行のカウンタ２を更新する。管理サーバ６は、集計・更新後のクーポン情報（Ｂ，ｘｙｚ，−Ａ）を店舗側装置５にインターネット４を介して送信する。そして、店舗側装置５は、カウンタの値を削除して、集計・更新後のクーポン情報（Ｂ，ｘｙｚ，−Ａ）を移動体端末１Ｂに送信する（ＳＴ４０）。移動体端末１Ｂでは、このクーポン情報は、トルカデータとして格納部１８に格納される。そして、移動体端末１Ｂでは、図９（ｃ）に示すような画面が表示される。表示された画面には、特典であるポイント数が表示されると共に、店舗側装置５のＵＲＬなどがあわせて表示される。また、ユーザＢは、詳細情報取得ボタンをクリックすることにより、より詳細なデータ（トルカ本体データ）を取得すること（実体化）もできる。これにより、より詳細な店舗情報を得ることができる。この場合、ユーザＢが移動体端末１Ｂから店舗側装置５にアクセスし、トルカ本体データを移動通信網２及びインターネット４を介してダウンロードして取得する。これにより、移動体端末１Ｂには、例えば図９（ｄ）に示すような画面が表示される。
【００５８】
次いで、移動体端末１Ｂのユーザが店舗を利用する。すなわち、移動体端末１Ｂの非接触カード部１７と店舗側装置５のＲ／Ｗ５３との間で非接触通信を行って支払いを実行する（ＳＴ４１）。この支払いを実行すると、クーポン情報（Ｂ，ｘｙｚ，−Ａ）を移動体端末１Ａに非接触通信で送信する（ＳＴ４２）。移動体端末１Ｂでは、このクーポン情報は、トルカデータとして格納部１８に格納される。そして、移動体端末１Ｂでは、図９（ａ）に示すような画面が表示される（ＳＴ４３）。表示された画面には、特典であるポイント数が表示されると共に、店舗側装置５のＵＲＬなどがあわせて表示される。
【００５９】
店舗側装置５は、移動体端末１Ｂに送信したクーポン情報（Ｂ，ｘｙｚ，−Ａ）を管理サーバ６にインターネット４を介して送信する（ＳＴ４４）。管理サーバ６においては、集計機能部６４で、利用履歴情報に基づいて前記クーポン情報の登録（集計・更新）を行う(ＳＴ４５)。すなわち、集計機能部６４においては、上述したように、図７の（iii）状態のようにカウンタ１にポイントを加算してデータベースを更新する。管理サーバ６は、集計・更新後のクーポン情報（Ｂ，ｘｙｚ，−Ａ）を店舗側装置５にインターネット４を介して送信する。
【００６０】
このように本実施の形態に係るクーポン情報管理システムにおいても、クーポン情報を配布した者にも特典が与えられ、クーポン情報の配布にインセンティブが生じて、店舗情報がより広い範囲に広まる。このようにクーポン情報が配布されて店舗情報が広まると、より多くの消費者がその店舗を訪れる機会が増加する。
【００６１】
本発明においては、次のように変形して実施しても良い。上記実施の形態において、移動体端末１Ａから移動体端末１Ｂへトルカを渡す際に、予め自らの端末識別子をリファラーとして含むクーポンを発行して貰う必要がある。変形例として、移動体端末に、リファラーをクーポン情報に埋め込む機能を持たせて、配布元の移動体端末が未登録であっても他の移動体端末へリファラー付きのクーポンを渡すようにしても良い。例えば、移動体端末１Ｂが移動体端末１Ａから受領したリファラー（−Ａ）を、移動体端末１Ｂで何のアクションも起こさないまま移動体端末１Ｃに転送する際には、移動体端末１Ｂが自装置の情報をリファラー情報に埋め込む。すなわち、移動体端末１Ｂにおいて、リファラー（−Ａ）をリファラー（ＡＢ）に変更する。この場合、移動体端末１Ｃが仮登録をしてもリファラーに対応する移動体端末１Ｂは管理サーバ６に登録されていない。このため、管理サーバ６は、移動体端末１Ｃの仮登録の際に、移動体端末１Ｂのレコードを作成する。このため、移動体端末１Ｃが仮登録したことで、リファラーに対応する移動体端末１Ｂへのポイント付与を行うことができる。なお、この場合のポイント付与は、移動体端末１Ｂが仮登録した後に付与するようにしても良い。このように、配布元の移動体端末が仮登録していない場合にリファラーへのポイント付与を行わないようにすることにより、ユーザに仮登録を促すようにすることができる。
【００６２】
また、上記実施の形態１，２においては、移動体端末が仮登録を行う際に、店舗側装置５を介して管理サーバ６へ情報を送信しているが、予めクーポンを入手した移動体端末が管理サーバ６へ直接インターネット接続して仮登録を行い、その後に店舗を訪れるようにしても良い。これにより、ユーザは事前に店舗の情報を入手できるため、店舗利用の促進を図ることが可能となる。
【００６３】
また、上記実施の形態１，２においては、移動体端末に保存されているクーポン情報を受領した店舗側装置５又は管理サーバ６は、リファラーのみを変更してクーポンを発行することとしているが、ＵＲＬの箇所を変更してユーザに送信するようにしても良い。例えば、同じ系列のグループ店で、ユーザに店舗Ａが返信する場合には、ＵＲＬにhttp://toruca-a.domain.com（又は、http://toruca.domain.com/shop-a/）と設定し、ユーザに店舗Ｂが返信する場合には、http://toruca-b.domain.com（又は、http://toruca.domain.com/shop-b/）と返信する。これにより、クーポンの配布元を特定することが容易になる。また、店舗側装置５での支払い時に受領する端末識別子に基づいてユーザ個人用のＵＲＬを作成し、このＵＲＬをクーポンに含めることにより、ユーザが自分専用のページにアクセスすることが容易になる。
【００６４】
本発明は上記実施の形態１，２に限定されず、種々変更して実施することが可能である。例えば、上記実施の形態１，２においては、移動体端末１Ａのユーザが店舗を実際に利用し、移動体端末１Ａから移動体端末１Ｂにクーポン情報を配布し、移動体端末１Ｂのユーザが店舗を実際に利用する、２人のユーザがクーポン情報を配布する場合について説明しているが、本発明は、これに限定されず、３人以上のユーザがクーポン情報を配布する場合にも適用することができる。また、上記実施の形態１，２においては、移動多端末１Ａ，１Ｂ間でのクーポン情報の送受信を電子メールで行う場合について説明しているが、本発明においては、移動多端末１Ａ，１Ｂ間でのクーポン情報の送受信を、二次元バーコードを利用したデータの送受信や、赤外線通信、非接触カード通信、Bluetooth通信などの近距離通信を用いても良い。また、上記実施の形態１，２においては、店舗側装置がリアルな店舗である場合について説明しているが、本発明においては、店舗側装置はインターネット上のショッピングサイトであっても良い。また、上記実施の形態１，２においては、移動体端末１Ａが予めクーポンを持っている場合について説明しているが、本発明においては、店舗利用時にクーポンを受領するようにしても良い。
【００６５】
上記実施の形態１，２で説明した構成に限定されず、本発明の範囲を逸脱しない限りにおいてクーポン情報の数値、文字列や画面表示のレイアウトなどについて適宜変更して実施することが可能である。上記実施の形態においては、クーポン情報がトルカデータである場合について説明しているが、本発明はクーポン情報がトルカデータ以外の非接触カード機能用データである場合にも同様に適用することができる。その他、本発明の範囲を逸脱しないで適宜変更して実施することが可能である。
【図面の簡単な説明】
【００６６】
【図１】本発明の実施の形態に係るクーポン情報管理システムの概略構成を示す図である。
【図２】図１に示すクーポン情報管理システムにおける移動体端末の概略構成を示すブロック図である。
【図３】図１に示すクーポン情報管理システムにおける店舗側装置の概略構成を示すブロック図である。
【図４】図１に示すクーポン情報管理システムにおける管理サーバの概略構成を示すブロック図である。
【図５】本発明の実施の形態に係るクーポン情報管理システムに使用するトルカデータを示す図である。
【図６】本発明のクーポン情報管理システムを説明するための図である。
【図７】本発明のクーポン情報管理システムにおける管理サーバのデータベースを示す図である。
【図８】本発明の実施の形態１に係るクーポン情報管理方法を説明するための図である。
【図９】（ａ）〜（ｄ）は、図８に示すクーポン情報管理方法おける移動体端末の表示画面を示す図である。
【図１０】本発明の実施の形態２に係るクーポン情報管理方法を説明するための図である。
【符号の説明】
【００６７】
１Ａ，１Ｂ  移動体端末
２  移動通信網
３  移動通信センター
４  インターネット
５  店舗側装置
６  管理サーバ
１１，５１，６１  制御部
１２，５２，６２  通信制御部
１３  アンテナ
１４  入力部
１５  表示部
１６  トルカマネージャ
１７  非接触カード部
１８  格納部
５４  配布機能部
６３  管理部
６４  集計機能部
１７１  非接触ＩＣ
１７２，５３  Ｒ／Ｗ
【図１】
2007293510.tif 000003
【図２】
2007293510.tif 000004
【図３】
2007293510.tif 000005
【図４】
2007293510.tif 000006
【図５】
2007293510.tif 000007
【図６】
2007293510.tif 000008
【図７】
2007293510.tif 000009
【図８】
2007293510.tif 000010
【図９】
2007293510.tif 000011
【図１０】
2007293510.tif 000012